(57)【特許請求の範囲】
【請求項１】
ディスク２が回転自在に収容された本体ケース１の後側面６の全長にわたって開口された主面開口５ａと、後側面６の左右両端に隣接する左右の側壁７・７の後端寄り部位に開口された左右の側面開口５ｂ・５ｂとからなるディスク出し入れ用の開口部５が設けられており、
開口部５を開閉する蓋１１が、主面開口５ａをこれの内部に入り込んで塞ぐ主面壁１２と、この主面壁１２の左右両端部から略直角に延出形成されて、左右の側面開口５ｂをこれの内部に入り込んで塞ぐ左右の側面壁１３・１３とを有しており、
蓋１１が本体ケース１に、本体ケース１の平面と平行な面上で該蓋１１の左右の側面壁１３・１３の一方側に設けた枢軸１６まわりに水平回動自在に装着されているディスクカートリッジにおいて、
前記枢軸１６を有する側とは反対側の側面開口５ｂに臨む本体ケース１の底壁９の端縁に、ディスクドライブ側のホルダー係合ピンと係合する第１凹部１０が設けられており、
蓋１１の側面壁１３に、当該蓋１１の閉じ状態において前記第１凹部１０の上方に合致する第２凹部１７が上下貫通状に凹設されており、
この第２凹部１７の上方が本体ケース１の上壁２４の一部２４ａで塞がれていることを特徴とするディスクカートリッジ。
【発明の詳細な説明】
【０００１】
【発明の属する技術分野】
本発明は、光ディスクや光磁気ディスク等の記録媒体であるディスクがハードケースに出し入れ可能に収容されているディスクカートリッジに関する。
【０００２】
【従来の技術】
この種のディスクカートリッジに、例えば、特開平５−２４２６２６号公報に記載のものがある。そこでは、本体ケースの後側端部にディスクを出し入れ可能にするための開口部を有し、この開口部を蓋で枢軸まわりに開閉するものとしてある。
【０００３】
【発明が解決しようとする課題】
かかるディスクカートリッジにおいて、前出の公報には記載されていないが、本体ケースの後側端の左右にリテント用の凹部を設け、この凹部に記録及び／又は再生装置（以下、ディスクドライブという）側のホルダー係合ピンが係合することで、ディスクドライブ内で位置決め保持されるようにすることが提案されている。その際、両面に記録可能なディスクを収容するディスクカートリッジと、片面記録のみ可能なディスクを収容する前出の開閉蓋付きディスクカートリッジとでは、リテント用の凹部の形状が異なっている。
【０００４】
すなわち、前者の両面記録可能なディスクを収容するディスクカートリッジでは上下反転使用を可能にすべくリテント用の凹部が本体ケースの側面に上下貫通状態に形成されるが、片面記録のみ可能なディスクを収容する後者の開閉蓋付きディスクカートリッジでは、前者のディスクカートリッジと外観的に一目瞭然に判別できるようにリテント用の凹部はこの上部のみが塞がれる形に形成される。因に、上記した両面記録可能なディスクを収容するディスクカートリッジは、ディスクを出し入れ可能にするとその表裏面を誤って入れ、誤記録してしまうおそれがあるという理由で、開閉蓋は持たず、ディスクの取り出しを不可能にしている。
【０００５】
問題は後者の開閉蓋付きディスクカートリッジのように上部を塞ぐ形のリテント用の凹部を如何にして設けるかである。例えば、図８に示すごとく本体ケース１の側面に設けるリテント用の凹部１０の上方を蓋１１の上壁一部１１ａで塞ぐことが考えられる。
しかし、これではホルダー係合ピンの挿入深さを確保するために蓋１１の上壁一部１１ａを薄肉に形成する必要が生じ、この上に他物が当たったとき破損しやすいという強度的な問題があるのみならず、蓋１１の形状や成形金型も複雑になり、コスト高になるという問題がある。
【０００６】
そこで本発明の目的は、こうした問題を解消するためになされたもので、開閉蓋付きのディスクカートリッジにおいてリテント用の凹部の上部の塞ぎ方に工夫を凝らすことにより蓋の形状の単純化、コストダウンを図れるディスクカートリッジを提供するにある。
【０００７】
【課題を解決するための手段】
本発明のディスクカートリッジは、ディスク２が回転自在に収容された本体ケース１の後側面６の全長にわたって開口された主面開口５ａと、後側面６の左右両端に隣接する左右の側壁７・７の後端寄り部位に開口された左右の側面開口５ｂ・５ｂとからなるディスク出し入れ用の開口部５が設けられ、この開口部５を開閉する蓋１１が、主面開口５ａをこれの内部に入り込んで塞ぐ主面壁１２と、この主面壁１２の左右両端部から略直角に延出形成されて、左右の側面開口５ｂをこれの内部に入り込んで塞ぐ左右の側面壁１３・１３とを有していて、本体ケース１に、本体ケース１の平面と平行な面上で該蓋１１の左右一端側に設けた枢軸１６まわりに水平回動自在に装着されている。
【０００８】
かかるディスクカートリッジにおいて、本発明では、前記枢軸１６を有する側とは反対側の側面開口５ｂに臨む本体ケース１の底壁９の端縁に、ディスクドライブ側のホルダー係合ピンと係合する第１凹部１０が設けられていること、
蓋１１の側面壁１３に、当該蓋１１の閉じ状態において前記第１凹部１０の上方に合致する第２凹部１７が上下貫通状に凹設されていること、
この第２凹部１７の上方が本体ケース１の上壁２４の一部２４ａで塞がれていることを特徴とする。
【０００９】
【発明の実施の形態】
図１および図２においてディスクカートリッジは、薄型四角形状の本体ケース１の内部に、片面にのみ映像・音声・情報等の信号が記録される光ディスク等のディスク２を回転自在に収容する。本体ケース１はプラスチック製の上ケース１ａと下ケース１ｂとを突き合わせて一体的に結合してなり、上ケース１ａおよび下ケース１ｂの前側部の左右方向中央部から後方に向けて信号読書窓３を開口し、この窓３を左右にスライド開閉するシャッター４で塞いでいる。
【００１０】
図３に示すように、本体ケース１の後端部にはディスク２を出し入れするための開口部５を設けてある。ディスクカートリッジはこれ全体のコンパクト化を図るために、本体ケース１の左右幅寸法とディスク２の直径寸法とを可及的に接近して設定する。このため、開口部５は、本体ケース１の後側面６の左右全長にわたって形成される主面開口５ａと、本体ケース１の左右の側壁７・７の各後端側のみに開口した側面開口５ｂ・５ｂとで、平面視においてコ字状に開口する。左右の側面開口５ｂ・５ｂに臨む下ケース１ｂの底壁９の端縁に、ディスクドライブに装填したとき該ドライブ側のホルダー係合ピン（図示省略）と係合するリテント用の第１凹部１０を設ける。
【００１１】
図３および図４において、上記開口部５を開閉する蓋１１はプラスチック成形品で、主面開口５ａの内部に入り込んでこれを塞ぐ形に形成された主面壁１２を有し、更に主面壁１２の左右方向の両端から前方へ略直角に延出形成されて、左右の側面開口５ｂの内部に入り込んでこれを塞ぐ側面壁１３を有する。主面壁１２の内面側には、ディスク２の円周に沿うよう円弧状に形成されて該ディスク２の開口部５方向への移動を規制するための内周壁１４が一体に形成される。これら主面壁１２、内周壁１４および側面壁１３で囲まれる左右二箇所の一方は上向きに開放する肉抜き凹部１５が、他方は下向きに開放する肉抜き凹部１５が形成されて、蓋１１の重量軽減および材料節減を図っている。片方の側面壁１３（図示例では右の側面壁１３）の前端部位に、蓋１１の回動支点である枢軸１６を上下方向へ一体に突出成形する。左右の側面壁１３の外側面には、閉蓋状態で本体ケース１の第１凹部１０の上方に合致して連通する第２凹部１７を上下貫通状に設ける。主面壁１２には指掛け用凹部１９を設ける。
【００１２】
このように成形された蓋１１はこの枢軸１６の上下端を上下ケース１ａ・１ｂの各側壁７の後端の近傍位置に凹設した軸孔（図示省略）に可回動に係合することにより、本体ケース１に組み込まれる。かくして蓋１１は、開口部５の主面開口５ａおよび側面開口５ｂを塞ぐ閉じ姿勢と、枢軸１６を中心にして本体ケース１の平面と平行な面上で略９０度水平回動して主面開口５ａを開放する全開姿勢とにわたって切り換え自在である。
【００１３】
更に蓋１１は不用意に開かないように閉じ姿勢に保持するロック手段を有する。図３および図５に示すように、このロック手段は蓋１１の回動先端側に弾性変形自在なロック片２３を前方へ一体に延出し、このロック片２３の先端に逆止爪２３ａを上向きに設ける。一方、上ケース１ａの上壁２４の内面には、蓋１１が閉じたとき前記逆止爪２３ａが係合する係合凹部２５を設ける。上壁２４の前記係合凹部２５の後方部位には、スリット２６をコの字形状に入れて押圧壁片２７を本体ケース１の内外方向に弾性変形自在に上壁２４につなぎ部２９を介して一体形成する。
【００１４】
しかるときは、常態時、蓋１１はロック片２３の逆止爪２３ａが係合凹部２５に係合することで閉じ状態に保持され、不用意に開くようなことがない。このように蓋１１で開口部５を閉じる常態時には、図６に示すごとく第１凹部１０の上方に第２凹部１７が連通状態にあるとともに、第２凹部１７の上方が上ケース１ａの上壁２４の一部２４ａで塞がれる状態にある。従って、このように第２凹部１７の上方が上壁２４の一部２４ａで塞がれ、片面にのみ記録可能なディスク２を収容するディスクカートリッジは、かかる第２凹部の上方を塞ぐことなく開放状態にする両面記録可能なディスクを収容する蓋無しのディスクカートリッジと外観的に容易に判別することができる。そしてディスクカートリッジを閉蓋状態でディスクドライブに装填すると、ディスクドライブ側のホルダー係合ピンが第１凹部１０および第２凹部１７に挿入して係合し、これによりディスクカートリッジはディスクドライブ内に位置決め保持されることになる。
【００１５】
ディスク２を交換等のために出し入れするときは、押圧壁片２７を本体ケース１の内方へ押圧して逆止爪２３ａが係合凹部２５から外れるように押圧し、指掛け用凹部１９に指先を掛けて枢軸１６まわりに略９０度水平回動させることで主面開口５ａが全開し、ディスク２の出し入れを可能にする。ディスク２の交換後、蓋１１は前記と反対向きに水平回動させることにより、ロック片２３の弾性を介して逆止爪２３ａが係合凹部２５に係合する閉じロック状態を得る。
【００１６】
上記実施例では左右の第２凹部１７が蓋１１の左右の側面壁１３・１３にそれぞれ設けられるが、図７に示すごとく蓋１１の枢軸１６が第１凹部１０より後方部位に位置設定される場合は、この枢軸１１側での第２凹部１７は第１凹部１０と共に本体ケース１の右側壁７に設けることができる。
【００１７】
【発明の効果】
本発明によれば、枢軸１６を有する側とは反対側の側面開口５ｂに臨む本体ケース１の底壁９の端縁に、ディスクドライブ側のホルダー係合ピンと係合する第１凹部１０を設ける一方、蓋１１の側面壁１３に前記第１凹部１０の上方に合致する第２凹部１７を上下貫通状に凹設するとともに、この第２凹部１７の上方を本体ケース１の上壁２４の一部２４ａで塞ぐものとした。従って、蓋１１の側面壁１３に第２凹部１７を上下貫通状に設けることで足り、図８に示すごとく蓋１１の上壁一部１１ａで凹部１０の上方を塞ぐ形の蓋１１に比較して、蓋１１の形状の単純化、コストダウンを図ることができる。また第２凹部１７の上方を塞ぐ壁材としては本体ケース１の上壁２４の端縁をそのまま利用しており、この本体ケース１の側面開口５ｂに臨む底壁９に第１凹部１０を設けるだけであるので、それだけ本体ケース１の当該第１凹部１０の周辺形状も単純化できて、成形上有利である。
【図面の簡単な説明】
【図１】ディスクカートリッジの要部を開蓋状態で示す平面図である。
【図２】ディスクカートリッジ全体を一部破断状態で示す平面図である。
【図３】ディスクカートリッジの要部を開蓋状態で示す斜視図である。
【図４】図３におけるＡ−Ａ線拡大断面図である。
【図５】図２におけるＢ−Ｂ線拡大断面図である。
【図６】ディスクカートリッジの要部を閉蓋状態で示す斜視図である。
【図７】他の実施例を示す一部の斜視図である。
【図８】比較例のディスクカートリッジの要部を閉蓋状態で示す斜視図である。
【符号の説明】
１  本体ケース
２  ディスク
５  開口部
５ａ  主面開口
５ｂ  側面開口
６  後側面
７  側壁
９  底壁
１０  第１凹部
１１  蓋
１２  主面壁
１３  側面壁
１６  枢軸
１７  第２凹部
【図１】
0003560202.tif 000002
【図２】
0003560202.tif 000003
【図３】
0003560202.tif 000004
【図４】
0003560202.tif 000005
【図５】
0003560202.tif 000006
【図６】
0003560202.tif 000007
【図７】
0003560202.tif 000008
【図８】
0003560202.tif 000009